(57)【特許請求の範囲】
【請求項１】
電動シャッター装置の制御方法であって、電動シャッター装置を新たに構築した直後にのみ初期設定モードを設け、この初期設定モードにおいてシャッター下限到達を検知するモータ負荷検知感度をシャッター下降全域にわたって第１の下限過負荷検知感度に設定し、この第１の下限過負荷検知感度で電動シャッターの全閉動作を行ってシャッター下限到達時点を求めると共にモータトルク変動を求め、この求めたモータトルク変動の大きさに応じて予め準備してある複数の異なった下限負荷検知感度から対応する下限負荷検知感度を求め、求めた下限負荷検知感度を初期設定モードに続くユーザーモードの最初の電動シャッターの全閉動作に使用する第２の下限過負荷検知感度とすることを特徴とする電動シャッター装置の制御方法。
【請求項２】
前記第１の下限過負荷検知感度は、電動シャッター装置の大小に拘わらず、シャッター下降途中において下限の誤検知を生じさせない程度に低く設定することを特徴とする請求項１記載の電動シャッター装置の制御方法。
【発明の詳細な説明】
【技術分野】
【０００１】
本発明は電動シャッター装置の制御方法に関する。
【背景技術】
【０００２】
電動シャッター装置のシャッターは複数の細長い板状の部材（スラット）を簾のように連結したものであり、車庫、店舗の出入り口、雨戸、建造物の窓など種々の開口部に設置される。シャッターの巻上げ及び巻戻しは筒状駆動装置の内部に設けたモータによって行われる。シャッターを設置する開口部の両脇にはシャッターの上下動を導くガイドレールが設けられ、スラットの両端の突起部がガイドレールに取り付けられる。
【０００３】
シャッターのスラット間に隙間（スリット）を設けない電動シャッターでは、駆動装置の制御部にモータ過負荷検知手段を設けてシャッターの作動中にシャッターが障害物に当接したことを検知することができ、さらに、このような過負荷検知手段を利用すれば、シャッターが開口部の上限に達したこと（シャッター全開）を検出できるし、シャッターが下降して床面或いはシャッターフレームの下枠に達した後に床面などを押圧する下限状態も検出できる。
【０００４】
筒状駆動装置に設けたモータのトルクを検出する手法は公知であり、例えば、電動モータが単相非同期モータであれば、位相シフト・コンデンサの端子電圧に相似する直流電圧を検出してモータのトルクを検知することが知られている（特許文献１）。検出したモータトルクが所定の閾値を超えればシャッター巻取手段にかかる負荷は過負荷と判断される。
【０００５】
本明細書において、シャッター全閉とはシャッターの下端が床やシャッター下枠に当接した（当接している）状態を指し、シャッターが下限に達する（達している）とはシャッターの全閉を通り越してシャッター下端が更に床面などを押圧している状態を言い、シャッター開閉時間とはシャッターが開放状態から下限に達するまでの時間を指す。
【０００６】
シャッターの下限到達は電動シャッター装置の制御部で測定しているモータトルクの大きさによって検知される。すなわち、シャッターが下限に達したときにモータにかかる負荷(過負荷)を検知する下限過負荷検知感度を制御装置に予め設定しておく。
【０００７】
シャッターのスラット間に隙間を設けない電動シャッター装置ではシャッターが下限に達するとシャッターにたわみが生ずる。このたわみを取るためにシャッターをその下限位置から全閉位置まで短時間だけ巻上げる必要がある。つまり、シャッター下限位置に達した時点と全閉位置となった時点を求めて「たわみ除去のためのシャッター巻上時間」を決める必要がある。
【０００８】
シャッター装置が設けられる開口部の面積に応じてシャッター装置が巻き取るべきスラットの重さは変わるのでモータトルク変動も変わる。つまりシャッター装置の大きさが異なればシャッター下降時のモータトルク変動も異なることになる。したがって、シャッター下限を検知する下限過負荷検知感度はシャッター装置の大きさに応じて設定する必要がある。
【０００９】
たわみ除去のためのシャッター巻上時間を正確に決めるには、シャッター装置の大きさに合った下限過負荷検知感度を定めてシャッター下限到達時点を求めなければならない。
【００１０】
このため、シャッター装置の工場出荷時あるいは現地設置時にシャッター装置の大きさに対応した下限過負荷検知感度を装置の制御部に設定する必要がある。しかし、個々のシャッター装置の大きさに対応して工場出荷時あるいは現地設置時に下限過負荷検知感度を個々の装置に入力するのは煩雑であり時間を要するという問題がある。
【先行技術文献】
【特許文献】
【００１１】
【特許文献１】特表２００３−５２９３０７号公報
【発明の概要】
【発明が解決しようとする課題】
【００１２】
個々のシャッター装置の大きさに対応して工場出荷時あるいは現地設置時に下限過負荷検知感度を個々のシャッター装置に入力する煩雑さを除去すること。
【課題を解決するための手段】
【００１３】
電動シャッター装置を新たに構築して通常動作であるユーザーモードに移行する前に初期設定モードを設け、この初期設定モードにおいてモータトルクによってシャッター下限到達を検知する下限過負荷検知感度をシャッター移動域全体にわたって低く設定してシャッター全閉動作を行い、後続するユーザーモードで最初に使用する下限過負荷検知感度を求めることを特徴とする電動シャッター装置の制御方法である。
【発明の効果】
【００１４】
本発明の電動シャッター装置の制御方法によれば、個々のシャッター装置の大きさに対応して下限過負荷検知感度を初期値として装置に入力しなければならないという煩雑な問題を解決することができる。
【図面の簡単な説明】
【００１５】
【図１】図１は本発明に係る電動シャッターの制御方法を説明するための図。
【図２】図２は本発明に係る電動シャッターの制御方法を説明するための図。
【図３】図３は本発明に係る電動シャッターの制御方法を説明するための図。
【図４】図４は本発明に係る電動シャッターの制御方法を説明するための図。
【発明を実施するための形態】
【００１６】
以下添付の図面を参照して本発明を実施するための形態を説明する。
【００１７】
図１(A)は本発明が応用される電動シャッター装置８を正面から見た図、図１(B)は電動シャッター装置８を側面から見た図である。シャッター装置８の主要構成要素であるシャッター１０は複数のスラット１２を具え、隣接するスラット１２の間にはスリットが設けられていない。シャッター１０が設置される開口部（車庫や店舗の出入り口など）に取り付けたシャッターフレーム１４の縦枠にはガイドレール（図示せず）が設けられ、ガイドレールにはスラット１２の両端の突起部（図示せず）が移動可能に挿入されている。
【００１８】
図１(A)及び(B)は、シャッター１０を下降させて（白抜矢印）最下端のスラットがシャッター全閉を通り越して下限に達した様子を示している。
【００１９】
本明細書では、上述したように、シャッター全閉とはシャッターの下端が床やシャッター下枠に当接した（当接している）状態を指し、シャッターが下限に達する（達している）とはシャッターの全閉を通り越してシャッター下端が更に床面などを押圧している状態を言い、シャッター開閉時間とはシャッターが開放状態から下限に達するまでの時間を指す。シャッターが下限に達したことは電動シャッター装置の制御部で測定しているモータトルクの大きさによって検知され、この状態ではシャッターの隣接するスラットが押し合ってたわみが生じている。
【００２０】
電動シャッター装置の制御装置にはモータトルクを検出する公知の技術（例えは特許文献１の技術）が組み込まれており、シャッター全閉動作中のモータトルクの値とシャッター開閉時間は全閉動作ごとに制御部の記憶装置に記憶される。
【００２１】
図２はシャッター装置を組み立てた状態を簡単に示す図であり、図１(A)の図面と略同じであるが説明の都合上用意したものである。本発明によれば、電動シャッターの通常動作（ユーザモード）の前に初期設定モードを設け、この初期設定モードにおいてシャッター移動域全体にわたって低い下限過負荷検知感度でシャッター全閉動作を行って後続するユーザーモードで最初に使用する下限過負荷検知感度を定める。
【００２２】
下限過負荷検知感度は、上述したように、シャッターが下限に達したときにモータにかかる負荷(過負荷)を検知するための感度であり、実際にはモータトルクの値と予め設定してある閾値とを比較して検知を行う。したがって、この場合、検知感度と閾値は同義といってよい。閾値を高くすれば検知感度が低くなり、閾値を低くすれば検知感度が高くなる。
【００２３】
シャッター移動域全体にわたって低い下限過負荷検知感度を設定するのは、シャッター装置の大小（装置の横幅の大小）についてのデータは制御部には設定されていないので、シャッター下降途中でのトルク変動でシャッター下限を誤検知するのを避けるためである。
【００２４】
図３は、初期設定モードでのシャッター下降時間（横軸）、モータトルク（縦軸）、下限過負荷検知感度などの関係を表す図である。参照番号１００は初期設定モードで使用する下限過負荷検知感度（第１の下限過負荷検知感度）である閾値を示している。時点Toはシャッターが開放位置（上限位置）から下降を開始した時点を示し、時点Tnはモータトルクが閾値１００以上になった(超えた)時点を示す。時点Tnでシャッターが下限に達したと判断される。
【００２５】
シャッターの下降につれてモータトルクは通常図３のように比較的短い周期で変動するが、途中で引っかかりなどがあればモータトルクはスパイク状に変動したりする。シャッター下降途中での引っかかりなどでシャッターが下限到達と誤判断されないようするために、シャッター移動域全体にわたって低い下限過負荷検知感度を制御装置に設定している。なお、時点Toから時点Tnまでの時間は例えば約３５秒位である。
【００２６】
図３で説明した動作を複数回（例えば２〜３回）行って求めた複数個の時点Tnの平均値或いは最大値を初期設定モードで求めたシャッター下限到達時点とする（Tnと区別するためTndで表す）。
【００２７】
次に、時点Tnd直前の時間Ta−Tbでのモータトルク変動を求め、求めたトルク変動に応じて後続のユーザーモードで最初に使用する下限過負荷検知感度を決定する。時間Ta−Tbを時点Tnd直前とするのはシャッター下限に近い時間でのトルク変動を求めたいからであり、時点Ta及びTbは、例えば、時点Tnから夫々３秒前と１秒前である。
【００２８】
上述したように、シャッター装置の大小は、通常、開口部の面積の大小であり、シャッター装置が大きくなるとモータトルク変動も大きくなる。したがって、初期設定モードで測定したモータトルク変動を基準としてユーザーモードの最初の下降動作で使用する下限負荷検知感度を決めている。初期設定モードで測定したモータトルク変動に対する下限負荷検知感度の決め方は、例えば、トルク変動の大きさを複数段階（例えば３段階）に分け、予め準備してある複数の異なった（例えば３個の）下限負荷検知感度から対応するものを求めるようにすればよい。
【００２９】
このように、本発明では、初期設定モードにおいてシャッター全閉動作の全域にわたって低い下限負荷検知感度を設定して下限時点を特定し、この下限時点直前の所定時間におけるモータトルク変動を求め、このトルク変動に基づいて後続のユーザーモードでの最初のシャッター全閉動作で使用する下限過負荷検知感度（第２の下限過負荷検知感度）を求めている。
【００３０】
後述するように、ユーザーモードではシャッター全閉動作ごとに下限過負荷検知感度の精度を上げるような学習効果を有するので、初期設定モードではユーザーモードで使用する下限過負荷検知感度を仮設定するといってもよい。
【００３１】
図４は、初期設定モードに続くユーザーモードでの最初のシャッター全閉動作におけるシャッター下降時間、モータトルク、下限過負荷検知感度などの関係を示す図である。初期設定モードで求めた下限負荷検知感度は参照数字１２０で示す。
【００３２】
ユーザーモードでの最初のシャッター全閉動作では、初期設定モードで求めたシャッター下限検知時点Tndから所定時間（例えば１秒）差し引いた時点Txを求め、この時点Tx以降の下限負荷検知感度（閾値）を感度１２０に設定してシャッター下限時点を求める（TNで示す）。
【００３３】
図４に示したモータ過負荷検知感度（閾値）１１０は、時点ToからTxまでのシャッター下降範囲に設定されこの移動範囲でのモータトルクの過負荷を検知する（例えば障害物検知）。モータ過負荷検知感度（閾値）１１０は、下限過負荷検知感度１２０と同様に、初期設定モードで求めたモータトルク変動に応じてトルク変動の大きさを複数段階（例えば３段階）に分け、予め準備してある複数の異なった（例えば３個の）モータ過負荷検知感度から対応するものを求めるようにすればよい。
【００３４】
シャッターが下限に達する直前のシャッター全閉を示す時点は、時点TB（例えば時点TNから１秒前）と時点TNでのモータトルクを参照して決めればよく、例えば、時点TBとTNでのモータトルクの中間値から所定値だけオフセットした（ずらした）値とする。このオフセット値は予め実験や試行によって求めることができる。このようにして求めたシャッター全閉の時点をTCで示している。
【００３５】
本発明とは直接関係しないが、シャッターが下限に達した後に、時点TBとTCとで特定される時間だけシャッターを巻戻してシャッターのたわみの除去が行われる。
【００３６】
シャッター下限到達時点TNの近傍の時点TAとTBで特定される時間（TA-TB）で測定されるモータトルク変動は、ユーザーモードの次のシャッター全閉動作で使用する下限負荷検知感度を決定するために使用される。シャッター全閉動作を繰り返していくに従って学習効果によりシャッター下限到達時点の精度が高くなることが分かる。従って、初期設定モードで求めた下限過負荷検知感度は、上述したように、ユーザーモードの最初のシャッター全閉動作で使用する下限過負荷検知感度を仮設定したものといえる。
【００３７】
このように、個々のシャッター装置の大きさとは無関係に所定の下限過負荷感度を予め設定しておき、シャッター装置の設置後であって装置のユーザーモードに入る前に初期設定モードを設け（すなわち、シャッター装置を構築した直後にのみ初期設定モードを設け）、この初期設定モードにおいてシャッター装置の大きさに応じた下限過負荷検知感度をユーザーモードでの初期値として自動的に求めるようにしている。
【符号の説明】
【００３８】
８    電動シャッター装置
１０  シャッター
１２  スラット
１４  シャッターフレーム
１６  筒型シャッター駆動装置
【図１】
0005603845.tif 000002
【図２】
0005603845.tif 000003
【図３】
0005603845.tif 000004
【図４】
0005603845.tif 000005